(57)【要約】      （修正有）【課題】マルチディスプレイ装置において、個々の映像表示装置で個別に識別設定を行うことなく、各映像表示装置がそれぞれの表示すべき映像を表示できるマルチディスプレイ装置を実現する。【解決手段】縦列接続の最初の映像表示装置２ａ’は、入力された複数の静止画信号の映像ブランク期間の所定の時間差を識別して該当する静止画信号を表示部に映像表示すると共に、静止画信号の垂直同期信号を削除して次の映像表示装置２ｂ’に出力し、複数のそれぞれの静止画信号の垂直同期信号の開始位置を所定の時間差だけ遅らせて次の映像表示装置２ｃ’に出力し、次の映像表示装置２ｄ’及びこれに続く映像表示装置は、最初の映像表示装置２ａ’と同様に信号処理すると共に、入力された複数の静止画信号の内、垂直同期信号が削除された静止画信号については、その静止画信号を表示部に映像表示せず、静止画信号の垂直同期信号を制御する。【選択図】図１
2012212061.tif 000002
【特許請求の範囲】
【請求項１】
一つの映像を複数分割した静止画信号を、それぞれ映像表示する複数の映像表示装置が縦列接続されたマルチディスプレイ装置であって、
前記静止画信号は、少なくとも映像信号と垂直同期信号で構成されており、
複数のそれぞれの前記映像信号の実際の表示開始位置を本来の映像信号の表示開始位置に対し所定の時間差だけ順次遅らせて前記静止画信号に映像ブランク期間を形成してあり、
前記複数の映像表示装置は、前記静止画信号を映像表示する表示部と前記垂直同期信号を制御する同期制御部を有し、
縦列接続の最初の前記映像表示装置は、入力された複数の前記静止画信号の前記映像ブランク期間の前記所定の時間差を識別して該当する前記静止画信号を前記表示部に映像表示すると共に、前記同期制御部により、該当する前記静止画信号の垂直同期信号を削除して次の前記映像表示装置に出力し、複数のそれぞれの前記静止画信号の前記垂直同期信号の開始位置を前記所定の時間差だけ遅らせて次の前記映像表示装置に出力し、
次の前記映像表示装置及びこれに続く前記映像表示装置は、前記最初の映像表示装置と同様に信号処理すると共に、入力された複数の前記静止画信号の内、前記垂直同期信号が削除された前記静止画信号については、その前記静止画信号を前記表示部に映像表示せず、前記同期制御部によりその前記静止画信号の垂直同期信号を制御しない
ことを特徴とするマルチディスプレイ装置。
【請求項２】
一つの映像を複数分割した静止画信号を、それぞれ映像表示する複数の映像表示装置が縦列接続されたマルチディスプレイ装置であって、
前記静止画信号は、少なくとも映像信号と垂直同期信号で構成されており、
前記映像信号の本来の表示開始位置は、前記垂直同期信号の開始位置からテレビジョン信号規格に基づく時間差だけ遅れているが、複数のそれぞれの前記映像信号の実際の表示開始位置は、前記本来の映像信号の表示開始位置に対し所定の時間差だけ順次遅らせて前記静止画信号に映像ブランク期間を形成してあり、
前記複数の映像表示装置は、前記静止画信号を映像表示する表示部と前記垂直同期信号を制御する同期制御部を有し、
縦列接続の最初の前記映像表示装置は、入力された複数の前記静止画信号の前記映像ブランク期間の前記所定の時間差を識別して該当する前記静止画信号を前記表示部に映像表示すると共に、前記同期制御部により、該当する前記静止画信号の垂直同期信号を削除して次の前記映像表示装置に出力し、複数のそれぞれの前記静止画信号の前記垂直同期信号の開始位置を前記所定の時間差だけ遅らせて次の前記映像表示装置に出力し、
次の前記映像表示装置及びこれに続く前記映像表示装置は、
入力された複数の前記静止画信号の内、前記垂直同期信号が削除された前記静止画信号については、その前記静止画信号を前記表示部に映像表示せず、前記同期制御部によりその前記静止画信号の垂直同期信号を制御せず、
前記垂直同期信号が削除されていない前記静止画信号については、最初の前記映像表示装置と同様に、入力された複数の前記静止画信号の前記映像ブランク期間の前記所定の時間差を識別して該当する前記静止画信号を前記表示部に映像表示すると共に、前記同期制御部により、該当する前記静止画信号の垂直同期信号を削除して次の前記映像表示装置に出力し、該当する前記静止画信号に続くそれぞれの前記静止画信号の前記垂直同期信号の開始位置を前記所定の時間差だけ遅らせて次の前記映像表示装置に出力した
ことを特徴とするマルチディスプレイ装置。
【請求項３】
一つの映像を複数分割した前記静止画信号の分割配置と、複数の映像表示装置の配置とが対応していることを特徴とする請求項１または請求項２に記載のマルチディスプレイ装置。
【請求項４】
一つの映像を複数分割した前記静止画信号の複数の前記映像信号の順番と前記縦列接続された複数の映像表示装置の順番とが対応していることを特徴とする請求項３記載のマルチディスプレイ装置。
【請求項５】
前記縦列接続の最初の前記映像表示装置に入力される複数のそれぞれの前記静止画信号の前記映像ブランク期間は、前記所定の時間差を順次整数倍した期間であることを特徴とする請求項４記載のマルチディスプレイ装置。
【発明の詳細な説明】
【技術分野】
【０００１】
本発明は、複数の映像表示装置を互いに或いは外部機器を通じて接続し、１つのディスプレイのように機能する静止画表示マルチディスプレイ装置（以下、マルチディスプレイ装置）に関する。
【背景技術】
【０００２】
現在、複数の映像表示装置を接続して１つのディスプレイのように機能させるマルチディスプレイ装置が広く用いられている。大画面を必要とする展示会やコンサートなど業務用を中心とし、設置場所の環境や用途・目的に合わせて接続数を自由に増減出来る事が特徴である。
【０００３】
マルチディスプレイ装置は、複数の映像表示装置によって構成されているため、それぞれの映像装置に映像信号を伝送する必要がある。いくつかの従来技術による映像信号の伝送方法について図１０から図１３を用いて解説する。
【０００４】
図１０は、特許文献１のマルチディスプレイ表示システムの構成図である。静止画信号を生成する映像信号発生装置１と、９つの映像表示装置２ａから２ｉで構成されている。
【０００５】
映像信号発生装置１は、ディジーチェーン接続などの手段により縦列接続された映像表示装置９台に対応するため、映像を９分割し各映像表示装置２ａから２ｉ用の静止画信号を生成する。各静止画信号は、映像表示装置２ａへ出力される。
【０００６】
図１１は、特許文献１の映像信号発生装置１で出力される静止画信号のタイミングチャートと、仮に映像表示した場合の映像イメージの図である。図１１の（ａ）から（ｉ）は、映像表示装置２ａから２ｉ用に９分割された静止画信号のタイミングチャートであり、その右側はこれらの静止画信号をそのまま通常の映像表示装置に仮に表示した場合の映像イメージを表している。図１１の（ａ）から（ｉ）では、本来の映像信号の表示開始位置は、垂直同期信号の立ち上がり位置である開始位置からテレビジョン信号規格に基づく時間差だけ一般的に遅らせている。本来の映像信号は、図示しないが、通常の映像表示装置の表示領域にひとつの静止画の全ての映像信号が通常のように表示される。また、図１１の（ａ）から（ｉ）では、各映像表示装置２ａから２ｉ用の映像信号の各開始位置は、この本来の映像信号の表示開始位置に対し所定の時間差「Ａ」だけ順次遅らせて、各静止画信号に映像ブランク期間「Ａ」から「９Ａ」を形成してある。従って、図１１の（ａ）から（ｉ）のように、映像ブランク期間「Ａ」から「９Ａ」が広がると、通常の映像表示装置に仮に表示した場合、図１１の（ａ）から（ｉ）の右側に示されるように、映像イメージは、通常の映像表示装置の表示領域の上方に黒帯状の領域が広がって生じ、全体に下方へシフトした表示となる（映像の一部が表示領域の下方へはみ出した映像）。
【０００７】
例えば、図１１（ａ）は、映像表示装置２ａ用の静止画信号のタイミングチャートである。そのタイミングチャートは、本来の映像信号の表示開始位置と映像表示装置２ａの映像信号の表示開始位置に差が「Ａ」であることがわかる。そして、映像イメージにおいては「Ａ」の分だけ映像ブランク期間として表示領域の上方に黒帯状の領域が生じることが確認できる。同様に、図１１（ｂ）から（ｉ）は、それぞれ「２Ａ」・・・「９Ａ」と、異なった映像ブランク期間を有している事が確認できる。これら図１１（ａ）から（ｉ）の静止画信号が、順次シリアルに図１０の映像信号発生装置１から出力される。
【０００８】
映像表示装置２ａの動作について図１２および図１３を用いて説明する。
【０００９】
図１２は、特許文献１に係る映像表示装置２ａのブロック図である。その内部は、表示部４０、リモコン受光部６０、表示位置検出部３３、イメージプロセッサ３６、ＣＰＵ３７などによって構成されている。映像信号発生装置１から出力された図１１（ａ）から（ｉ）の各静止画信号を映像表示装置２ａに入力すると、映像表示装置２ａは以下の処理を実施する。まず、表示位置検出部３３が各映像表示装置用の映像信号の各映像ブランク期間を検出し、ＣＰＵ３７によって、後述するあらかじめユーザーによって設定され記憶された映像ブランク期間の設定値と比較が行われ、比較の結果、検出した静止画信号の映像ブランク期間の値「Ａ」とあらかじめ映像表示装置２ａに記憶されている映像ブランク期間の値「Ａ」が一致した場合は、その静止画信号をイメージプロセッサ３６で処理し表示部４０に映像表示する。両者が一致しなければ、映像表示は実施されない。
【００１０】
続いて、あらかじめユーザーによって設定され記憶される映像ブランク期間の設定値について、説明する。
【００１１】
図１３は、特許文献１の映像表示装置２ａから２ｉの映像信号識別設定画面である。映像表示装置２ａから２ｉ用に伝送された静止画信号を識別するために、各映像表示装置に、それぞれの映像ブランク期間「Ａ」・・・「９Ａ」に対応する映像信号識別番号「１」・・・「９」を設定する。例えば、映像表示装置２ａでは、図１３の（ａ）に示すように、ユーザーのリモコン操作によって「１」が設定され、映像表示装置２ａには映像ブランク期間「Ａ」が記憶される。また、映像表示装置２ｂでは、図１３の（ｂ）に示すように、ユーザーのリモコン操作によって「２」が設定され、映像表示装置２ｂには映像ブランク期間「２Ａ」が記憶される。このユーザーによるリモコン操作が映像表示装置の台数分順次繰り返され、最後に、映像表示装置２ｉに「９」が設定され、映像表示装置２ｉには映像ブランク期間「９Ａ」が記憶される。
【００１２】
映像表示装置２ａに、映像表示装置２ａ用の静止画信号が入力されると、映像ブランク期間「Ａ」を検出し、あらかじめ映像表示装置２ａに設定し記憶された映像ブランク期間「Ａ」と比較する。両者が同一であると判定されると、図１１の（ａ）映像表示装置２ａ用の映像信号の開始位置を本来の映像信号の開始位置に戻して、映像表示装置２ａの表示部40に映像表示を行う。なお、各静止画信号から検出された映像ブランク期間の値と各映像表示装置に記憶された映像ブランク期間の値が同一で無い場合は映像表示しない。
【００１３】
以降も同様に、映像表示装置２ｂから２ｉで、それぞれに対応する「２Ａ」から「９Ａ」の映像ブランク期間の静止画信号のみを表示することになる。
【先行技術文献】
【特許文献】
【００１４】
【特許文献１】特願２０１０−２２０７２４（平成２２年９月３０日出願）
【発明の概要】
【発明が解決しようとする課題】
【００１５】
しかしながら、特許文献１のマルチディスプレイ装置は、映像表示装置２ａ用から２ｉ用の静止画信号の差を持たせた映像ブランク期間を映像表示装置２ａから２ｉが識別することを特徴としている。このため、異なった映像ブランク期間で動作するようにあらかじめ各映像表示装置にユーザーが個別設定を行う必要があり、図１０の映像表示装置２ａから２ｉのように、台数が多いほど操作設定が煩雑となる課題があった。
【００１６】
そこで、本発明は、上記の問題に鑑みてなされたものであり、その目的は、映像ブランク期間に差を持たせた静止画信号を利用するマルチディスプレイ装置において、個々の映像表示装置で個別に識別設定を行うことなく、各映像表示装置がそれぞれの表示すべき静止画信号を判別して映像表示できるマルチディスプレイ装置を実現する。
【課題を解決するための手段】
【００１７】
前記目的を達成するために、本発明のマルチディスプレイ装置は、一つの映像を複数分割した静止画信号を、それぞれ映像表示する複数の映像表示装置が縦列接続されたマルチディスプレイ装置であって、  前記静止画信号は、少なくとも映像信号と垂直同期信号で構成されており、複数のそれぞれの前記映像信号の実際の表示開始位置を本来の映像信号の表示開始位置に対し所定の時間差だけ順次遅らせて前記静止画信号に映像ブランク期間を形成してあり、  前記複数の映像表示装置は、前記静止画信号を映像表示する表示部と前記垂直同期信号を制御する同期制御部を有し、縦列接続の最初の前記映像表示装置は、入力された複数の前記静止画信号の前記映像ブランク期間の前記所定の時間差を識別して該当する前記静止画信号を前記表示部に映像表示すると共に、前記同期制御部により、該当する前記静止画信号の垂直同期信号を削除して次の前記映像表示装置に出力し、複数のそれぞれの前記静止画信号の前記垂直同期信号の開始位置を前記所定の時間差だけ遅らせて次の前記映像表示装置に出力し、次の前記映像表示装置及びこれに続く前記映像表示装置は、前記最初の映像表示装置と同様に信号処理すると共に、入力された複数の前記静止画信号の内、前記垂直同期信号が削除された前記静止画信号については、その前記静止画信号を前記表示部に映像表示せず、前記同期制御部によりその前記静止画信号の垂直同期信号を制御しないことを特徴とする。
【００１８】
また、本発明のマルチディスプレイ装置は、一つの映像を複数分割した静止画信号を、それぞれ映像表示する複数の映像表示装置が縦列接続されたマルチディスプレイ装置であって、前記静止画信号は、少なくとも映像信号と垂直同期信号で構成されており、前記映像信号の本来の表示開始位置は、前記垂直同期信号の開始位置からテレビジョン信号規格に基づく時間差だけ遅れているが、複数のそれぞれの前記映像信号の実際の表示開始位置は、前記本来の映像信号の表示開始位置に対し所定の時間差だけ順次遅らせて前記静止画信号に映像ブランク期間を形成してあり、前記複数の映像表示装置は、前記静止画信号を映像表示する表示部と前記垂直同期信号を制御する同期制御部を有し、縦列接続の最初の前記映像表示装置は、入力された複数の前記静止画信号の前記映像ブランク期間の前記所定の時間差を識別して最初の前記静止画信号を前記表示部に映像表示すると共に、前記同期制御部により、最初の前記静止画信号の垂直同期信号を削除して次の前記映像表示装置に出力し、最初の前記静止画信号に続くそれぞれの前記静止画信号の前記垂直同期信号の開始位置を前記所定の時間差だけ遅らせて次の前記映像表示装置に出力し、次の前記映像表示装置及びこれに続く前記映像表示装置は、入力された複数の前記静止画信号の内、前記垂直同期信号が削除された前記静止画信号については、その前記静止画信号を前記表示部に映像表示せず、前記同期制御部によりその前記静止画信号の垂直同期信号を制御せず、前記垂直同期信号が削除されていない前記静止画信号については、最初の前記映像表示装置と同様に、入力された複数の前記静止画信号の前記映像ブランク期間の前記所定の時間差を識別して該当する前記静止画信号を前記表示部に映像表示すると共に、前記同期制御部により、該当する前記静止画信号の垂直同期信号を削除して次の前記映像表示装置に出力し、該当する前記静止画信号に続くそれぞれの前記静止画信号の前記垂直同期信号の開始位置を前記所定の時間差だけ遅らせて次の前記映像表示装置に出力したことを特徴とする。
【００１９】
本発明のマルチディスプレイ装置は、一つの映像を複数分割した前記静止画信号の分割配置と、複数の映像表示装置の配置とが対応していることを特徴とする。
【００２０】
本発明のマルチディスプレイ装置は、一つの映像を複数分割した前記静止画信号の複数の前記映像信号の順番と前記縦列接続された複数の映像表示装置の順番とが対応していることを特徴とする。
【００２１】
本発明のマルチディスプレイ装置は、前記縦列接続の最初の前記映像表示装置に入力される複数のそれぞれの前記静止画信号の前記映像ブランク期間は、前記所定の時間差を順次整数倍した期間であることを特徴とする。
【発明の効果】
【００２２】
本発明のマルチディスプレイ装置は、映像ブランク期間に差を持たせた静止画信号を利用するマルチディスプレイ装置において、個々の映像表示装置で個別に識別設定を行うことなく、各映像表示装置がそれぞれの表示すべき静止画信号を判別して映像表示できるマルチディスプレイ装置を実現する。
【図面の簡単な説明】
【００２３】
【図１】本実施例に係るマルチディスプレイ表示システムの構成図である。
【図２】本実施例に係る映像信号発生装置のブロック図である。
【図３】本発明に係る映像表示装置のブロック図である。
【図４】本発明に係る映像信号発生装置で分割処理される映像のイメージ図である。
【図５】図１のａ点における各静止画信号のタイミングチャートと、その静止画信号を仮に映像表示させた場合の映像イメージの図である。
【図６】図１のｂ点における静止画信号のタイミングチャートと、その静止画信号を仮に映像表示させた場合の映像イメージの図である。
【図７】図１のｃ点における静止画信号のタイミングチャートと、その静止画信号を仮に映像表示させた場合の映像イメージの図である。
【図８】図１のｉ点における静止画信号のタイミングチャートと、その静止画信号を仮に映像表示させた場合の映像イメージの図である。
【図９】本発明に係る映像表示装置の表示状態を時系列で示した図である。
【図１０】特許文献１のマルチディスプレイ表示システムの構成図である。
【図１１】特許文献１の映像信号発生装置から伝送される各静止画信号と映像イメージ図である。
【図１２】特許文献１に係る映像表示装置のブロック図である。
【図１３】特許文献１の映像表示装置の映像信号識別設定画面である。
【発明を実施するための形態】
【実施例】
【００２４】
本発明の実施例について以下に述べるが、図１０から図１３を使用して説明した特許文献1の従来技術の構成と同じ本発明の構成については同じ符号を用いて説明する。最初に図１から図３を用いて、本実施例における機器の構成について説明する。
【００２５】
図１は、本実施例に係るマルチディスプレイ表示システムの構成図である。１は静止画信号を生成する映像信号発生装置である。また、２ａ′から２ｉ′はそれぞれ映像表示装置であり全体として９画面マルチディスプレイ装置を構成している。映像信号発生装置１から出力された静止画信号は、映像表示装置２ａ′に入力し、以降、ディジーチェーン接続等の縦列接続によって映像表示装置２ｉ′まで順に出力される。なお、本実施例における各映像表示装置の解像度を横１９２０×縦１０８０としたので、９面で、横５７６０×縦３２４０の解像度となる。
【００２６】
図２は、本実施例に係る映像信号発生装置１のブロック図で、従来技術の特許文献1の映像信号発生装置１の構成と同じである。映像信号発生装置１は、ＰＣ（パーソナルコンピュータ）２０と映像信号送出部１０によって構成され、映像信号送出部１０は、画像メモリ１１、グラフィックスコントローラ１２、映像信号制御部１３、ＨＤＭＩ出力部１４で構成されている。ＰＣ２０は映像データを生成し出力することができる。ＰＣ２０から出力された映像データは、グラフィックスコントローラ１２に入力される。グラフィックスコントローラ１２は、映像データを９分割し、画像メモリ１１を用いてビデオフォーマットに適合させ、９分の１画像ずつ時分割した静止画信号を生成する。
【００２７】
図５で詳細に説明する静止画信号には垂直同期信号と水平同期信号およびドットクロックが含まれている。グラフィックスコントローラ１２で生成された静止画信号は、映像信号制御部１３に入力される。映像信号制御部１３では、グラフィックスコントローラ１２からの制御信号によって静止画信号毎に映像ブランク期間を形成する処理を実施する。
【００２８】
一般的な静止画信号では、本来の映像信号の表示開始位置は、垂直同期信号の立ち上がり位置である開始位置からテレビジョン信号規格に基づく時間差だけ一般的に遅らせている。本願実施例の静止画信号は、従来技術である図１０の映像信号発生器１が出力する静止画信号と同じであり、図１１に示すように本来の映像信号の表示開始位置に対し所定の時間差「Ａ」だけ順次遅らせて、各静止画信号に映像ブランク期間「Ａ」から「９Ａ」を形成する。映像信号制御部１３から出力された映像信号はＨＤＭＩ出力部１４を経て、映像表示装置２ａ′へと出力される。
【００２９】
続いて、マルチディスプレイ装置を構成する映像表示装置について解説する。
【００３０】
図３は、本発明に係る映像表示装置のブロック図である。ブロック図全体を囲う２ａ′は映像表示装置を示し、スケーラー３０、表示部４０、画像メモリ５０によって構成され、スケーラー３０は、ＨＤＭＩ出力部３１、ＨＤＭＩ入力部３２、表示位置検出部３３、ＲＯＭ３４、ＲＡＭ３５、イメージプロセッサ３６、ＣＰＵ３７、フラッシュメモリ３８、同期制御部３９によって構成されている。なお、図１の映像表示装置２ｂ′から２ｉ′も、図３の映像表示装置２ａ′と同じ構成である。また、本願実施例の映像表示装置２ａ′から２ｉ′と従来技術である図１２の映像表示装置２ａから２ｉとの相違点は、前者が、同期制御部３９を有した点と後者にある図１２のリモコン受光部６０を有さない点である。
【００３１】
ＣＰＵ３７は、スケーラー３０全体の制御を行っており、表示位置検出部３３とＲＯＭ３４とＲＡＭ３５とイメージプロセッサ３６と同期制御部３９が接続されている。
【００３２】
ＲＯＭ３４には映像表示装置２ａ′を動作させるためのプログラムが記憶されており、ＣＰＵ３７は、ＲＯＭ３４の内容をＲＡＭ３５に展開し、プログラムを実行する。また、ＲＯＭ３４には、映像表示装置２ａに表示させる静止画信号を識別する目的で、識別対象となる映像ブランク期間の値「Ａ」が記憶されている。この値は、接続される全ての映像表示装置２ａ′から２ｉ′で共通である。
【００３３】
ＨＤＭＩ入力部３２には、映像信号発生装置１から入力されたＨＤＭＩ規格形式の信号が入力し、映像信号、水平同期信号、垂直同期信号、ドットクロックが復号された信号が取り出される。ＨＤＭＩ入力部３２は、ＨＤＭＩ出力部３１と表示位置検出部３３とイメージプロセッサ３６に接続されており、これらの各部へ各ＨＤＭＩ入力部３２から取り出した各信号を出力する。
同期制御部３９は、ＨＤＭＩ入力部３２から受け取った垂直同期信号を、ＣＰＵ３７からの指示によって削除または遅延させて、ＨＤＭＩ出力部３１に出力することが出来る。
従って、ＨＤＭＩ入力部３２から入力された垂直同期信号だけは、同期制御部３９を経由してＨＤＭＩ出力部３１に接続されている。
【００３４】
表示位置検出部３３は、入力した静止画信号の映像ブランク期間の所定の時間差を検出する。映像ブランク期間の検出方法は、図５（ａ）に示す垂直同期信号の立ち上がり開始位置を基準として、本来の映像信号の表示位置に相当する位置を割り出し、その位置から実際に入力した各映像表示装置用の映像信号の開始位置までの時間差から測定できる。
【００３５】
なお、本実施例とは別の方法として、水平同期信号を基準として映像信号の開始までの期間をドットクロックでサンプリングすることでも可能である。
【００３６】
ＣＰＵ３７は、表示位置検出部３３で検出した静止画信号の映像ブランク期間とＲＯＭ３４に記憶した映像表示装置２ａ′から２ｉ′共通の映像ブランク期間「Ａ」と比較し、入力された静止画信号が映像表示装置２ａ′で表示するべきものかを判定する。入力された静止画信号の映像ブランク期間が所定の時間差「Ａ」である場合、表示すべき静止画信号であると判定され、ＣＰＵ３７は、イメージプロセッサ３６に映像信号の処理実施を指示し、画像メモリ５０に映像信号を展開し、図５右の映像イメージのような映像ブランク期間の所定の時間差「Ａ」が無い正常の映像に戻して表示部４０で表示する。同時に、ＣＰＵ３７は、同期制御部３９に指示して、映像表示装置２ａ′用の垂直同期信号を削除してＨＤＭＩ出力部３１へ出力させる。また、表示位置検出部３３で検出した入力された静止画信号の映像ブランク期間が「Ａ」以外、すなわち映像表示装置２ａ′で表示すべきでない静止画信号と判定されれば、ＣＰＵ３７は、その静止画の映像信号を表示部４０で表示する処理を指示せず、同期制御部３９によって、垂直同期信号を所定の時間差「Ａ」期間（詳細後述）遅延させてＨＤＭＩ出力部３１へ出力する。映像表示装置２ａ′は、新たな表示すべき静止画信号が入力されるまで表示した静止画信号の映像を表示し続ける。
【００３７】
なお、本実施例においては、表示すべきでない静止画信号について同期制御部３９によって垂直同期信号を「Ａ」期間後退させる手段について説明したが、垂直同期信号の「Ａ」期間後退に替えて、映像信号を「Ａ」期間前倒ししても良い。以上が、映像表示装置２ａ′の機器構成の説明であり、映像表示装置２ｂ′から２ｉ′も同様の構成である。
【００３８】
続いて、本実施例の映像信号発生装置１における映像信号の生成について図４と図５を用いて説明する。
【００３９】
図４は、本発明に係る映像信号発生装置１で処理される映像のイメージ図である。図４の（ａ）は、図２のＰＣ２０が生成する横５７６０×縦３２４０の解像度の「楕円」の映像データである。図４（ｂ）は、グラフィックスコントローラ１２において図４（ａ）の映像を９分割したものであり、それぞれが横１９２０×縦１０８０の解像度の映像データであることを表している。グラフィックコントローラ１２によって、９分割された映像データは、９分の１ずつ映像信号に変換され、水平同期信号と垂直同期信号をともなって静止画信号として映像信号制御部１３に入力される。なお、９分割され映像信号制御部１３に入力される信号は図２の説明で前述した本来の映像信号である。
【００４０】
図５は、図１のａ点における各静止画信号のタイミングチャートと、その右側はこれらの静止画信号をそのまま通常の映像表示装置に仮に表示した場合の映像イメージを表している。図５（ａ）から図５（ｉ）は、映像表示装置２ａ′から２ｉ′用に９分割された静止画信号である。タイミングチャートは、垂直同期信号、本来の映像信号、各映像表示装置用の映像信号、水平同期信号を、配列したものである。なお、各静止画信号のタイミングチャートにおける本来の映像信号は比較のために記載したものであり、図１のａ点からｉ点において実際には存在しない。また、図５（ａ）から図５（ｉ）の映像信号に応じ仮に映像表示した場合の映像イメージをタイミングチャートの右側に示している。
【００４１】
図２の映像信号制御部１３は、グラフィックスコントローラ１２からの指示を受けて、図５（ａ）から図５（ｉ）の映像信号の表示開始位置を所定の時間差「Ａ」ずつ遅延させる。この差が映像イメージに映像ブランク期間として現れる。例えば、図５（ａ）では、本来の映像信号の表示開始位置と映像表示装置２ａ′用の映像信号の表示開始位置には所定の時間差「Ａ」が存在し、映像イメージには「Ａ」の分だけ映像ブランク期間が生じる。図５（ｂ）から図５（ｉ）も同様に、「２Ａ」、「３Ａ」・・・「９Ａ」と、異なった映像ブランク期間を持たせる。図５に示すように、縦列接続の最初の映像表示装置２ａ′に入力される複数のそれぞれの静止画信号の映像ブランク期間「Ａ」、「２Ａ」、「３Ａ」・・・「９Ａ」は、所定の時間差「Ａ」を順次整数倍した期間となっている。
【００４２】
図５（ａ）から図５（ｉ）の各映像表示装置用の映像信号は、垂直同期信号および水平同期信号とともに図５（ａ）から図５（ｉ）の順に時分割で図２の映像信号制御部１３からＨＤＭＩ出力部１４に入力される。なお、補足となるが、映像ブランク期間の所定の時間差の検出は、図３の中で記述したように、図５（ａ）に示す垂直同期信号の立ち上がり開始位置を基準として、本来の映像信号の表示位置に相当する位置を割り出し、その位置から実際に入力した各映像表示装置用の映像信号の開始位置までの時間差から測定できる。
【００４３】
図２のＨＤＭＩ出力部１４では、ＨＤＭＩ規格形式の静止画信号に変換され映像表示装置２ａ′に向けて出力される。
【００４４】
本実施例のマルチディスプレイ装置における静止画信号の処理について図６から図８を用いて説明する。
【００４５】
図６は、図１のｂ点における静止画信号のタイミングチャートと、その右側はこれらの静止画信号をそのまま通常の映像表示装置に仮に表示した場合の映像イメージを表している。図６（ａ′）から図６（ｉ′）は、映像表示装置２ａ′で同期信号の処理をされた後の各静止画信号と映像イメージを表している。
【００４６】
図６（ａ′）から図６（ｉ′）に示すタイミングチャートは、上から順に、垂直同期信号、本来の映像信号、各映像表示装置用の映像信号、水平同期信号である。なお、本来の映像信号は比較のために記載したものである。また、図６（ａ′）から図６（ｉ′）の各静止画信号に応じそのまま通常の映像表示装置に仮に表示した場合の映像イメージをタイミングチャートの右側に示している。
【００４７】
映像表示装置２ａ′は、図１のａ点の図５（ａ）から（ｉ）に示す各静止画信号を受けて、映像ブランク期間の検出と映像表示処理を実施するとともに、同期制御部３９によって、ｂ点の図６（ａ′）から図６（ｉ′）に示す各静止画信号に変換する。
【００４８】
具体的には、図６（ａ′）で示す映像表示装置２ａ′用の静止画信号は、図１のａ点においては図５（ａ）に示されるように垂直同期信号が存在していたが、図１のｂ点では映像表示装置２ａ′の同期制御部３９によって図６（ａ′）に示されるように垂直同期信号が削除されている。これにより、映像表示装置２ａ′以降の映像表示装置２ｂ′から２ｉ′が映像表示装置２ａ′用の静止画信号を受け取っても垂直同期信号が削除されているので映像表示は行われないものとなる。
【００４９】
また、図６（ｂ′）に示す映像表示装置２ｂ′用の映像信号の映像ブランク期間は、図１のａ点において図５（ｂ）に示されるように「２Ａ」だったものが、図１のｂ点においては図６（ｂ′）に示されるように「Ａ」に変換されている。これにより、映像表示装置２ｂ′が、この静止画信号を受け取ると、映像ブランク期間が「Ａ」であるため映像表示を実行する。
【００５０】
更に、図６（ｃ′）に示す映像表示装置２ｃ′用の映像信号の映像ブランク期間は、図１のａ点において「３Ａ」だったものが、図１のｂ点において「２Ａ」に変換され、以降も同様の変換が行われ、（ｉ′）に示す映像表示装置２ｉ′用の映像信号の映像ブランク期間は、図１のａ点において「９Ａ」だったものが、図１のｂ点において「８Ａ」に変換される。
【００５１】
図７は、図１のｃ点における静止画信号のタイミングチャートと、その右側はこれらの静止画信号をそのまま通常の映像表示装置に仮に表示した場合の映像イメージを表している。図７（ａ′′）から図７（ｉ′′）は、映像表示装置２ｂ′で処理された後の各静止画信号と映像イメージを表している。
【００５２】
図７（ａ′′）から図７（ｉ′′）に示す、タイミングチャートは、上から順に、垂直同期信号、本来の映像信号、各映像表示装置用の映像信号、水平同期信号である。なお、本来の映像信号は比較のために記載したものである。また、図７（ａ′′）から図７（ｉ′′）の静止画信号に応じそのまま通常の映像表示装置に仮に表示した場合の映像イメージをタイミングチャートの右側に示している。
【００５３】
映像表示装置２ｂ′は、図１のｂ点の図６（ａ′）から図６（ｉ′）に示す静止画信号を受けて、映像ブランク期間の検出と映像表示処理を実施すると同時に、同期制御部３９によって、図１のｃ点の図７（ａ′′）から図７（ｉ′′）に示す信号波形に変換する。
【００５４】
具体的には、図７（ａ′′）で示す映像表示装置２ａ′用の静止画信号は、ｂ点で垂直同期信号が存在しないため図３の表示位置検出部３３は垂直同期信号を検出しない。垂直同期信号が検出されなければ図３のイメージプロセッサ３６における映像処理も行われず表示部４０に映像表示されることもない。
【００５５】
また、図７（ｂ′′）に示す映像表示装置２ｂ′用の映像信号の映像ブランク期間は、図１のｂ点で「Ａ」に変換されているため、映像表示装置２ｂ′で映像表示処理を実施するとともに、図１のｃ点では映像表示装置２ｂ′の同期制御部３９によって垂直同期信号が削除される。これにより、映像表示装置２ｃ′から２ｉ′が映像表示装置２ｂ′用の静止画信号を受け取っても映像表示は行われないものとなる。
【００５６】
また、図７（ｃ′′）に示す映像表示装置２ｃ′用の映像信号の映像ブランク期間は、図１のｂ点において「２Ａ」だったものが、図１のｃ点において「Ａ」に変換されている。これにより、映像表示装置２ｃ′が、この静止画信号を受け取ると、映像ブランク期間が「Ａ」であるため映像表示を実行する。以降も同様の変換が行われ、図７（ｉ′′）に示す映像表示装置２ｉの映像ブランク期間は、図１のｂ点において「８Ａ」だったものが、図１のｂ点において「７Ａ」に変換される。
【００５７】
図８は、図１のｉ点における静止画信号のタイミングチャートと、その右側はこれらの静止画信号をそのまま通常の映像表示装置に仮に表示した場合の映像イメージを表している。図８（ａ′′′）から図８（ｉ′′′）は、映像表示装置２ｃ′で処理された後の各静止画信号と映像イメージを表している。
【００５８】
図８（ａ′′′）から図８（ｉ′′′）に示す、タイミングチャートは、上から順に、垂直同期信号、本来の映像信号、各映像表示装置用の映像信号、水平同期信号である。なお、本来の映像信号は比較のために記載したものである。また、図８（ａ′′′）から図８（ｉ′′′）の静止画信号に応じそのまま通常の映像表示装置に仮に表示した場合の映像イメージをタイミングチャートの右側に示している。
【００５９】
映像表示装置２ｉ′は、図１のｉ点の図８（ａ′′′）から図８（ｉ′′′）に示す静止画信号を受けて、映像ブランク期間の検出と映像表示処理を実施する。
【００６０】
具体的には、図８（ａ′′′）で示す映像表示装置２ａ′用の静止画信号は、垂直同期信号が存在しないため何の処理も行わない。
【００６１】
また、図８（ｂ′′′）に示す映像表示装置２ｂ′用の静止画信号も、垂直同期信号が存在しないため何の処理も行わない。
【００６２】
同様に、図８（ｃ′′′）に示す映像表示装置２ｃ′用の静止画信号も、垂直同期信号が存在しないため何の処理も行わない。
【００６３】
そして、図８（ｉ′′′）に示す映像表示装置２ｉ′用の静止画信号の映像ブランク期間は、図１のｉ点で「Ａ」に変換されているため、映像表示装置２ｉ′で映像表示処理を実施する。以上が、本実施例のマルチディスプレイ装置における静止画信号の処理の解説である。
【００６４】
続いて、本発明に係る映像表示装置の表示状態について解説する。
【００６５】
図９は、本発明に係る映像表示装置の表示状態を時系列で示した図である。図９（０）は初期状態であり、何も表示されていない。図９（Ａ）は、時分割された最初の信号である静止画信号（図５の（ａ））が、映像表示装置２ａすなわち左上の画面に表示された状態である。以降、順次静止画信号が入力され、９画面分を入力し全ての表示が完了した状態が図９（Ｉ）である。このように、図４（ｂ）に示す一つの映像を複数分割した静止画信号の分割配置は、図９（Ａ）から（Ｉ）に示す映像表示装置２ａ′から２ｉ′の配置と対応している。そして、図４（ｂ）に示す一つの映像を複数分割した静止画信号の複数の映像信号の順番と図９（Ａ）から（Ｉ）に示す映像表示装置２ａ′から２ｉ′の順番とが対応している。
【００６６】
以上が、本実施例における映像信号発生装置１と、映像表示装置２ａ′から２ｉ′の説明である。本実施例を実施する事で、静止画信号は、垂直同期信号、映像信号、水平同期信号以外に別途識別信号を用いることなく、しかも特許文献１のような各映像表示装置の映像ブランク期間の個別設定の必要が無くマルチディスプレイ装置による映像表示を実現することが可能となる。
【００６７】
なお、上述の実施例で説明した複数の映像表示装置で表示する静止画表示動作を「動画の１フレーム分」と捉え、高速で（例えば、１秒間に３０フレーム）静止画信号を転送表示する事で、本発明は動画にも対応する事ができる。
【産業上の利用可能性】
【００６８】
本発明は、複数の映像表示装置を接続し、一体の表示部として機能するマルチディスプレイ装置に広く適用することができる。
【符号の説明】
【００６９】
１  映像信号発生装置
２ａ、２ｂ、２ｃ、２ｄ、２ｅ、２ｆ、２ｇ、２ｈ、２ｉ、２ａ′、２ｂ′、２ｃ′、２ｄ′、２ｅ′、２ｆ′、２ｇ′、２ｈ′、２ｉ′  映像表示装置
１１  画像メモリ
１２  グラフィックスコントローラ
１３  映像信号制御部
１４  ＨＤＭＩ出力部
２０  ＰＣ
３０  スケーラー
３１  ＨＤＭＩ出力部
３２  ＨＤＭＩ入力部
３３  表示位置検出部
３４  ＲＯＭ
３５  ＲＡＭ
３６  イメージプロセッサ
３７  ＣＰＵ
３８  フラッシュメモリ
３９  同期制御部
４０  表示部
５０  画像メモリ
【図１】
2012212061.tif 000003
【図２】
2012212061.tif 000004
【図３】
2012212061.tif 000005
【図４】
2012212061.tif 000006
【図５】
2012212061.tif 000007
【図６】
2012212061.tif 000008
【図７】
2012212061.tif 000009
【図８】
2012212061.tif 000010
【図９】
2012212061.tif 000011
【図１０】
2012212061.tif 000012
【図１１】
2012212061.tif 000013
【図１２】
2012212061.tif 000014
【図１３】
2012212061.tif 000015